(57)【特許請求の範囲】
【請求項１】
働き幅Ｗと働き長さＬの寸法比率が決定されているＪＩＳ規格に規定される呼び寸法で、働き長さＬ＝２８０ｍｍ、働き幅Ｗ＝３０５ｍｍのＦ形の瓦（５）、（５ａ）・・・・・を千鳥葺きした状態の屋根面（２）、（２ａ）に対し、水平方向に対応する底辺を瓦（５）、（５ａ）・・・・・の働き幅（Ｗ）の２．５倍、上下方向に対応する垂直辺を瓦（５）、（５ａ）・・・・・の働き長さ（Ｌ）の３倍と成した三角領域（ＴＦ）を設定し、この三角領域（ＴＦ）を瓦（５）、（５ａ）・・・・・の働き長さ（Ｌ）で上下方向に分割し、
そして、三角領域（ＴＦ）を分割した一段目領域（ＴＦ１）によって囲まれた区画面積（ＣＳ）から瓦（５）、（５ａ）・・・・・１個分の働き面積（Ｓ）を減算した面積を有効面積（ＭＳ）と成した第１の規格瓦（Ｆ１）を形成し、
また、三角領域（ＴＦ）の二段目領域（ＴＦ２）によって囲まれた区画面積（ＣＳ）から瓦（５）、（５ａ）・・・・・半個分の働き面積（Ｓ）を減算した面積を有効面積（ＭＳ）と成した第２の規格瓦（Ｆ２）を形成し、
また、三角領域（ＴＦ）の三段目領域（ＴＦ３）によって囲まれた区画面積（ＣＳ）を有効面積（ＭＳ）と成した第３の規格瓦（Ｆ３）を形成し、
そして、前記有効面積（ＭＳ）とは、隅棟（３）の際に配置される場合に、隅棟（３）を構成する冠瓦が重合される重ね代の面積を含む表面積とし、また谷（４）の際に配置される場合に、露出される表面積とし、
これら第１〜第３の規格瓦（Ｆ１）〜（Ｆ３）を隅棟（３）または谷（４）の際に配置したことを特徴とする屋根構造。
【請求項２】
働き幅Ｗと働き長さＬの寸法比率が決定されているＪＩＳ規格に規定される呼び寸法で、働き長さＬ＝２２５ｍｍ、働き幅Ｗ＝２７５ｍｍのＪ形の瓦（５）、（５ａ）・・・・・を筋葺きした状態の屋根面（２）、（２ａ）に対し、水平方向に対応する底辺を瓦（５）、（５ａ）・・・・・・・・・・の働き幅（Ｗ）の３倍、上下方向に対応する垂直辺を瓦（５）、（５ａ）・・・・・・・・・・の働き長さ（Ｌ）の４倍と成した三角領域（ＴＪＢ）を設定し、この三角領域（ＴＪＢ）を瓦（５）、（５ａ）・・・・・・・・・・の働き長さ（Ｌ）で上下方向に分割し、
そして、三角領域（ＴＪＢ）を分割した一段目領域（ＴＪＢ１）によって囲まれた区画面積（ＣＳ）から瓦（５）、（５ａ）・・・・・・・・・・２個分の働き面積（Ｓ）を減算した面積を、有効面積（ＭＳ）と成した第１の規格瓦（ＪＢ１）を形成し、
また、三角領域（ＴＪＢ）の二段目領域（ＴＪＢ２）によって囲まれた区画面積（ＣＳ）から瓦（５）、（５ａ）・・・・・・・・・・１個分の働き面積（Ｓ）を減算した面積を、有効面積（ＭＳ）と成した第２の規格瓦（ＪＢ２）を形成し、
また、三角領域（ＴＪＢ）の三段目領域（ＴＪＢ３）によって囲まれた区画面積（ＣＳ）を、有効面積（ＭＳ）と成した第３の規格瓦（ＪＢ３）を形成し、
また、三角領域（ＴＪＢ）の四段目領域（ＴＪＢ４）によって囲まれた区画面積（ＣＳ）を、有効面積（ＭＳ）と成した第４の規格瓦（ＪＢ４）を形成し、
そして、前記有効面積（ＭＳ）とは、隅棟（３）の際に配置される場合に、隅棟（３）を構成する冠瓦が重合される重ね代の面積を含む表面積とし、また谷（４）の際に配置される場合に、露出される表面積とし、
これら第１〜第４の規格瓦（ＪＢ１）〜（ＪＢ４）を隅棟（３）または谷（４）の際に配置したことを特徴とする屋根構造。
【請求項３】
働き幅Ｗと働き長さＬの寸法比率が決定されているＪＩＳ規格に規定される呼び寸法で、働き長さＬ＝２３５ｍｍ、働き幅Ｗ＝２６５ｍｍのＪ形の瓦（５）、（５ａ）・・・・・を筋葺きした状態の屋根面（２）、（２ａ）に対し、水平方向に対応する底辺を瓦（５）、（５ａ）・・・・・・・・・・の働き幅（Ｗ）の４倍、上下方向に対応する垂直辺を瓦（５）、（５ａ）・・・・・・・・・・の働き長さ（Ｌ）の５倍と成した三角領域（ＴＪＡ）を設定し、この三角領域（ＴＪＡ）を瓦（５）、（５ａ）・・・・・・・・・・の働き長さ（Ｌ）で上下方向に分割し、
そして、三角領域（ＴＪＡ）を分割した一段目領域（ＴＪＡ１）によって囲まれた区画面積（ＣＳ）から瓦（５）、（５ａ）・・・・・・・・・・３個分の働き面積（Ｓ）を減算した面積を、有効面積（ＭＳ）と成した第１の規格瓦（ＪＡ１）を形成し、
また、三角領域（ＴＪＡ）の二段目領域（ＴＪＡ２）によって囲まれた区画面積（ＣＳ）から瓦（５）、（５ａ）・・・・・・・・・・２個分の働き面積（Ｓ）を減算した面積を、有効面積（ＭＳ）と成した第２の規格瓦（ＪＡ２）を形成し、
また、三角領域（ＴＪＡ）の三段目領域（ＴＪＡ３）によって囲まれた区画面積（ＣＳ）から瓦（５）、（５ａ）・・・・・１個分の働き面積（Ｓ）を減算した面積を、有効面積（ＭＳ）と成した第３の規格瓦（ＪＡ３）を形成し、
また、三角領域（ＴＪＡ）の四段目領域（ＴＪＡ４）によって囲まれた区画面積（ＣＳ）を、有効面積（ＭＳ）と成した第４の規格瓦（ＪＡ４）を形成し、
さらに、三角領域（ＴＪＡ）の五段目領域（ＴＪＡ５）によって囲まれた区画面積（ＣＳ）を、有効面積（ＭＳ）と成した第５の規格瓦（ＪＡ５）を形成し、
そして、前記有効面積（ＭＳ）とは、隅棟（３）の際に配置される場合に、隅棟（３）を構成する冠瓦が重合される重ね代の面積を含む表面積とし、また谷（４）の際に配置される場合に、露出される表面積とし、
これら第１〜第５の規格瓦（ＪＡ１）〜（ＪＡ５）を隅棟（３）または谷（４）の際に配置したことを特徴とする屋根構造。
【発明の詳細な説明】
【０００１】
【発明の属する技術分野】
本発明は、隅棟および谷の際に配置される異形状の瓦を規格化して施工性等を向上させる屋根構造に関するものである。
【０００２】
【従来の技術】
従来、瓦を筋葺き若しくは千鳥葺きした寄棟屋根のように、２つの屋根面が交差する隅棟および谷の際に配置される隅瓦および谷瓦は、隅棟および谷に沿って発生する略三角形状の空間部を塞ぐようにするために瓦金づち等の工具を使用し、瓦に分割用の切断線を斜めに付け、この切断線に沿って殴打して必要形状に割って葺設しているのが現状である。
【０００３】
しかるに、上記作業は非常に面倒であるばかりか、熟練を要し、しかも隅瓦および谷瓦は一定の形状とはならず、特に小さな三角形状と成る場合は固定しずらいと共に、水返しが形成されていないために防水用になんばん、葺土、シックイ等のシール部材を必要とし、さらに作業が面倒になる欠点を有していた。
【０００４】
【発明が解決しようとする課題】
本発明は、隅瓦または谷瓦の生産を工場で可能と成し、葺設の作業性を向上させると共に、雨水浸入防止機能、位置ズレ防止機能、強風巻き上げ防止機能を備えさせ、かつ葺設形態を均整のとれたものにする様にした屋根構造を提供せんとするものである。
【０００５】
【課題を解決するための手段】
本発明は、上記従来技術に基づく、作業性の悪さ等の課題に鑑み、瓦の大きさに対応した三角領域を、瓦の葺設状態をもとに屋根面に設定し、この三角領域における斜辺に一致させた斜辺部を備える隅瓦または谷瓦を予め形成して規格化し、かかる隅瓦または谷瓦を屋根の隅棟または谷に沿って配置することを要旨とする屋根構造を提供して上記欠点を解消せんとするものである。
【０００６】
そして、上記屋根構造としては、桟瓦が葺設されて隅棟瓦または谷を有する屋根であって、桟瓦を働き幅と働き長さの寸法比率が決定された瓦と成して千鳥葺き、または筋葺きされた屋根面に対して三角領域を設定している。
【０００７】
三角領域は水平方向に対応する底辺を瓦の働き幅の２．５倍、上下方向に対応する垂直辺を瓦の働き長さの３倍と成し、また他の三角領域は、底辺を３倍、垂直辺を４倍と成し、また他の三角領域は、底辺を４倍、垂直辺を５倍と成している。
【０００８】
また、三角領域を瓦の働き長さで上下方向に分割し、各領域の一部の面積を、有効面積とする隅棟または谷の際に配置される規格瓦を形成し、前記際に配置している。
【０００９】
規格瓦としては、三角領域の分割された一段目領域の区画面積から瓦１個分の働き面積を減算した残りの面積を有効面積とする第１の規格瓦と、同二段目領域の区画面積から瓦半分の働き面積を減算した残りの面積を有効面積とする第２の規格瓦と、同三段目領域の区画面積を有効面積とする第３の規格瓦を形成している。
【００１０】
他の規格瓦としては、三角領域の分割された一段目領域の区画面積から瓦２個分の働き面積を減算した残りの面積を有効面積とする第１の規格瓦と、同二段目領域の区画面積から瓦１個分の働き面積を減算した残りの面積を有効面積とする第２の規格瓦と、同三段目および四段目領域の区画面積を、有効面積とする第３および第４の規格瓦を形成している。
【００１１】
他の規格瓦としては、三角領域の分割された一段目領域の区画面積から瓦３個分の働き面積を減算した面積を有効面積とする第１の規格瓦と、同二段目領域の区画面積から瓦２個分の働き面積を減算した面積を有効面積とする第２の規格瓦と、同三段目領域の区画面積から瓦１個分の働き面積を減算した面積を有効面積とする第３の規格瓦と、同四段目および五段目領域の区画面積を、有効面積とする第４および第５の規格瓦を形成している。
【００１２】
また、各規格瓦の斜辺部に水返し突条、または垂れを設け、隅棟または谷の際に配置するものと成している。
【００１３】
【発明の実施の形態】
以下本発明の実施の形態を図面に基づいて説明すると、１は本発明に係る屋根構造であって、この屋根構造１は寄棟屋根のように所定勾配の２つの屋根面２、２ａが交差して雨水を分ける隅棟３、または雨水を集める谷４を備えるものである。
【００１４】
まず、図２、３に示すように、屋根面２、２ａに葺設する大多数を占める桟瓦である瓦５、５ａ・・・・・の形状や大きさを、働き幅Ｗと働き長さＬの寸法比率が決定されているＪＩＳーＡー５２０８（以下「ＪＩＳ規格」という）規格に規定されるＦ形（平板瓦、呼び寸法で、働き長さＬ＝２８０ｍｍ、働き幅Ｗ＝３０５ｍｍ）と成し、かかるＦ形の瓦５、５ａ・・・・・を千鳥葺きした状態の屋根面２、２ａに対し、水平方向に対応する底辺を瓦５、５ａ・・・・・の働き幅Ｗの２．５倍、上下方向に対応する垂直辺を瓦５、５ａ・・・・・の働き長さＬの３倍と成した三角領域ＴＦを設定し、この三角領域ＴＦを瓦５、５ａ・・・・・の働き長さＬで上下方向に分割する。
【００１５】
そして、三角領域ＴＦを分割した一段目領域ＴＦ１によって囲まれた区画面積ＣＳから瓦５、５ａ・・・・・１個分の働き面積Ｓを減算した面積を有効面積ＭＳと成した第１の規格瓦Ｆ１を形成する。
【００１６】
また、三角領域ＴＦの二段目領域ＴＦ２によって囲まれた区画面積ＣＳから瓦５、５ａ・・・・・半個分の働き面積Ｓを減算した面積を有効面積ＭＳと成した第２の規格瓦Ｆ２を形成する。
【００１７】
また、三角領域ＴＦの三段目領域ＴＦ３によって囲まれた区画面積ＣＳを有効面積ＭＳと成した第３の規格瓦Ｆ３を形成する。
【００１８】
また、上記有効面積ＭＳとは、隅棟３の際に配置される場合に、隅棟３を構成する冠瓦（図示せず）が重合される重ね代の面積を含む表面積とし、また谷４の際に配置される場合に、露出される表面積としている。
【００１９】
なお、上記第１〜第３の規格瓦Ｆ１〜Ｆ３には、当然ながら隅棟３または谷４の両側である右側若しくは左側に配置されるものを包含している。
【００２０】
また、上記第１〜第３の規格瓦Ｆ１〜Ｆ３の内、隅棟３の右側の際に配置するものとしては、図４に示すように、瓦本体６の有効面積ＭＳを形成する斜辺部７に水返し突条８を設けている。
【００２１】
なお、第１〜第３の規格瓦Ｆ１〜Ｆ３における瓦本体６の尻側９には、他の第１〜第３の規格瓦Ｆ１〜Ｆ３が重なるための重合部１０を有すると共に、尻水返し突条１１や釘孔１２を設けている。
【００２２】
また、上記第１〜第３の規格瓦Ｆ１〜Ｆ３の内、谷４の左側の際に配置するものとしては、図５に示すように、瓦本体６の有効面積ＭＳを形成する斜辺部７に垂れ１３を設けている。
【００２３】
次に、図６、７に示すように、働き幅Ｗと働き長さＬの寸法比率が決定された桟瓦である瓦５、５ａ・・・・・として、ＪＩＳ規格に規定されるＪ形５３Ｂ（和瓦、呼び寸法で、働き長さＬ＝２２５ｍｍ、働き幅Ｗ＝２７５ｍｍ）を使用した場合の他の実施の形態としては、瓦５、５ａ・・・・・を筋葺きした状態の屋根面２、２ａに対し、水平方向に対応する底辺を瓦５、５ａ・・・・・の働き幅Ｗの３倍、上下方向に対応する垂直辺を瓦５、５ａ・・・・・の働き長さＬの４倍と成した三角領域ＴＪＢを設定し、この三角領域ＴＪＢを瓦５、５ａ・・・・・の働き長さＬで上下方向に分割する。
【００２４】
そして、三角領域ＴＪＢを分割した一段目領域ＴＪＢ１によって囲まれた区画面積ＣＳから瓦５、５ａ・・・・・２個分の働き面積Ｓを減算した面積を、有効面積ＭＳと成した第１の規格瓦ＪＢ１を形成する。
【００２５】
また、三角領域ＴＪＢの二段目領域ＴＪＢ２によって囲まれた区画面積ＣＳから瓦５、５ａ・・・・・１個分の働き面積Ｓを減算した面積を、有効面積ＭＳと成した第２の規格瓦ＪＢ２を形成する。
【００２６】
また、三角領域ＴＪＢの三段目領域ＴＪＢ３によって囲まれた区画面積ＣＳを、有効面積ＭＳと成した第３の規格瓦ＪＢ３を形成する。
【００２７】
また、三角領域ＴＪＢの四段目領域ＴＪＢ４によって囲まれた区画面積ＣＳを、有効面積ＭＳと成した第４の規格瓦ＪＢ４を形成する。
【００２８】
次に、図８、９に示すように、働き幅Ｗと働き長さＬの寸法比率が決定された桟瓦である瓦５、５ａ・・・・・として、ＪＩＳ規格に規定されるＪ形５３Ａ（和瓦、呼び寸法で、働き長さＬ＝２３５ｍｍ、働き幅Ｗ＝２６５ｍｍ）を使用した場合の他の実施の形態としては、瓦５、５ａ・・・・・を筋葺きした状態の屋根面２、２ａに対し、水平方向に対応する底辺を瓦５、５ａ・・・・・の働き幅Ｗの４倍、上下方向に対応する垂直辺を瓦５、５ａ・・・・・の働き長さＬの５倍と成した三角領域ＴＪＡを設定し、この三角領域ＴＪＡを瓦５、５ａ・・・・・の働き長さＬで上下方向に分割する。
【００２９】
そして、三角領域ＴＪＡを分割した一段目領域ＴＪＡ１によって囲まれた区画面積ＣＳから瓦５、５ａ・・・・・３個分の働き面積Ｓを減算した面積を、有効面積ＭＳと成した第１の規格瓦ＪＡ１を形成する。
【００３０】
また、三角領域ＴＪＡの二段目領域ＴＪＡ２によって囲まれた区画面積ＣＳから瓦５、５ａ・・・・・２個分の働き面積Ｓを減算した面積を、有効面積ＭＳと成した第２の規格瓦ＪＡ２を形成する。
【００３１】
また、三角領域ＴＪＡの三段目領域ＴＪＡ３によって囲まれた区画面積ＣＳから瓦５、５ａ・・・・・１個分の働き面積Ｓを減算した面積を、有効面積ＭＳと成した第３の規格瓦ＪＡ３を形成する。
【００３２】
また、三角領域ＴＪＡの四段目領域ＴＪＡ４によって囲まれた区画面積ＣＳを、有効面積ＭＳと成した第４の規格瓦ＪＡ４を形成する。
【００３３】
また、三角領域ＴＪＡの五段目領域ＴＪＡ５によって囲まれた区画面積ＣＳを、有効面積ＭＳと成した第５の規格瓦ＪＡ５を形成する。
【００３４】
また、第１〜第４の規格瓦ＪＢ１〜ＪＢ４、および第１〜第５の規格瓦ＪＡ１〜ＪＡ５については、第１〜第３の規格瓦Ｆ１〜Ｆ３と相違する部分は、瓦５、５ａ・・・・・の基本形状が平板瓦であるか、和瓦であるかの違いであるため、詳細な説明は省略するも、図１０、１１に示すように、重合部１０、斜辺部７、水返し突条８、垂れ１３、その他の構成等は当然ながら備えている。
【００３５】
次に本発明に係る屋根構造の作用について説明すると、隅棟３または谷４の際に、第１〜第３の規格瓦Ｆ１〜Ｆ３を配置して葺設すると、隅棟３または谷４の芯ＣＬと略平行な側縁ラインＳＬが上記第１〜第３の規格瓦Ｆ１〜Ｆ３によって形成され、また、隅棟３または谷４の際に、第１〜第４の規格瓦ＪＢ１〜ＪＢ４を配置して葺設すると、隅棟３および谷４の芯ＣＬと略平行な側縁ラインＳＬが上記第１〜第４の規格瓦ＪＢ１〜ＪＢ４によって形成され、また、隅棟３または谷４の際に、第１〜第５の規格瓦ＪＡ１〜ＪＡ５を配置して葺設すると、隅棟３および谷４の芯ＣＬと略平行な側縁ラインＳＬが上記第１〜第５の規格瓦ＪＡ１〜ＪＡ５によって形成されるのである。
【００３６】
また、上記第１〜第３の規格瓦Ｆ１〜Ｆ３によって形成される側縁ラインＳＬと水平線ＨＬとの交差角度θは約４７．７５度と成り、また第１〜第４の規格瓦ＪＢ１〜ＪＢ４の交差角度θは約４７．４９度と成り、また第１〜第５の規格瓦ＪＡ１〜ＪＡ５の交差角度θは約４７．９３度と成り、一方、屋根面２、２ａの勾配が５寸５分勾配の場合に、同交差角度θは約４８．７７度と成り、また５寸勾配の場合に、同交差角度θは約４８．１９度と成り、また４寸５分勾配の場合に、同交差角度θは約４７．６５度と成り、また４寸勾配の場合に、同交差角度θは約４７．１２度と成る。
【００３７】
なお、上記交差角度θは各瓦５、５ａ・・・・・の呼び寸法で演算したものであって、交差等は含まれていない。
【００３８】
また、第１〜第３の規格瓦Ｆ１〜Ｆ３の配置位置は、図示のものに何ら限定されず、例えば、図２に示すように、Ａに位置する第３の規格瓦Ｆ３を、第１の規格瓦Ｆ１や、第２の規格瓦Ｆ２に代えることにより、側縁ラインＳＬを水平方向に平行移動させることが可能である。
【００３９】
また、上記平行移動の間隔としては、約１０センチに設定される。
【００４０】
また、第１〜第４の規格瓦ＪＢ１〜ＪＢ４、第１〜第５の規格瓦ＪＡ１〜ＪＡ５でも、上記と同様に側縁ラインＳＬは平行移動可能であって、その時の間隔は前者のもので約７センチ、後者のもので約５センチと成る。
【００４１】
【発明の効果】
要するに本発明は、  働き幅Ｗと働き長さＬの寸法比率が決定されているＪＩＳ規格に規定される呼び寸法で、働き長さＬ＝２８０ｍｍ、働き幅Ｗ＝３０５ｍｍのＦ形の瓦５、５ａ・・・・・を桟瓦として千鳥葺きすると共に、隅棟３または谷４を有する屋根であって、桟瓦が葺設された屋根面２、２ａに対し、水平方向に対応する底辺を瓦５、５ａ・・・・・の働き幅Ｗの２．５倍、上下方向に対応する垂直辺を瓦５、５ａ・・・・・の働き長さＬの３倍と成した三角領域ＴＦを設定し、この三角領域ＴＦを瓦５、５ａ・・・・・の働き長さＬで上下方向に分割し、この分割された一段目領域ＴＦ１の区画面積ＣＳから瓦５、５ａ・・・・・１個分の働き面積Ｓを減算した残りの面積を有効面積ＭＳと成した第１の規格瓦Ｆ１と、同二段目領域ＴＦ２の区画面積ＣＳから瓦５、５ａ・・・・・半分の働き面積Ｓを減算した残りの面積を有効面積ＭＳと成した第２の規格瓦Ｆ２と、同三段目領域ＴＦ３の区画面積ＣＳを有効面積ＭＳと成した第３の規格瓦Ｆ３を形成し、これら第１〜第３までの規格瓦Ｆ１〜Ｆ３を隅棟３または谷４の際に配置したので、隅棟３または谷４の際に配置する隅瓦または谷瓦が規格された３種類で済むことにより、瓦製造工場での生産が可能となるため、従来屋根工事現場で行っていた分割作業が不要となって葺設作業性が著しく向上する。
【００４２】
また、この規格瓦Ｆ１〜Ｆ３で形成される側縁ラインＳＬは隅棟３または谷４の芯ＣＬと略平行となるため、際の葺設形態も均整がとれると共に、桟瓦である他の瓦５、５ａ・・・・・とも通常の葺設連結状態であるため、強固に固定され、従来の様に固定不足による位置ズレや、強風巻き上げによる飛散が防止できる。
【００４３】
また、上記側縁ラインＳＬは芯ＣＬに対して一定寸法で水平方向に平行移動が可能になることにより、屋根面２、２ａの水平方向の長さが相違する屋根であっても、容易に対応できる。
【００４４】
また、  働き幅Ｗと働き長さＬの寸法比率が決定されているＪＩＳ規格に規定される呼び寸法で、働き長さＬ＝２２５ｍｍ、働き幅Ｗ＝２７５ｍｍのＪ形の瓦５、５ａ・・・・・を筋葺きし、また三角領域ＴＪＢの底辺を瓦５、５ａ・・・・・の働き幅Ｗの３倍、垂直辺を働き長さＬの４倍と成し、また三角領域ＴＪＢを瓦５、５ａ・・・・・の働き長さＬで上下方向に分割し、この分割された一段目領域ＴＪＢ１の区画面積ＣＳから瓦５、５ａ・・・・・２個分の働き面積Ｓを減算した残りの面積を有効面積ＭＳと成した第１の規格瓦ＪＢ１と、同二段目領域ＴＪＢ２の区画面積ＣＳから瓦５、５ａ・・・・・１個分の働き面積Ｓを減算した残りの面積を有効面積ＭＳと成した第２の規格瓦ＪＢ２と、同三段目領域ＴＪＢ３の区画面積ＣＳを有効面積ＭＳと成した第３の規格瓦ＪＢ３と、同四段目領域ＴＪＢ４の区画面積ＣＳを有効面積ＭＳと成した第４の規格瓦ＪＢ４を形成し、これら第１〜第４までの規格瓦ＪＢ１〜ＪＢ４を隅棟３または谷４の際に配置したので、隅棟３または谷４の際に配置する隅瓦または谷瓦が４種類で済む以外は、上記と同様な効果を奏するのである。
【００４５】
また、  働き幅Ｗと働き長さＬの寸法比率が決定されているＪＩＳ規格に規定される呼び寸法で、働き長さＬ＝２３５ｍｍ、働き幅Ｗ＝２６５ｍｍのＪ形の瓦５、５ａ・・・・・を筋葺きし、また三角領域ＴＪＡの底辺を瓦５、５ａ・・・・・の働き幅Ｗの４倍、垂直辺を瓦５、５ａ・・・・・の働き長さＬの５倍と成し、また三角領域ＴＪＡを瓦５、５ａ・・・・・の働き長さで上下方向に分割し、この分割された一段目領域ＴＪＡ１の区画面積ＣＳから瓦５、５ａ・・・・・３個分の働き面積Ｓを減算した残りの面積を有効面積ＭＳと成した第１の規格瓦ＪＡ１と、同二段目領域ＴＪＡ２の区画面積ＣＳから瓦５、５ａ・・・・・２個分の働き面積Ｓを減算した残りの面積を有効面積ＭＳと成した第２の規格瓦ＪＡ２と、同三段目領域ＴＪＡ３の区画面積ＣＳから瓦５、５ａ・・・・・１個分の働き面積Ｓを減算した残りの面積を有効面積ＭＳと成した第３の規格瓦ＪＡ３と、同四段目領域ＴＪＡ４の区画面積ＣＳを有効面積ＭＳと成した第４の規格瓦ＪＡ４と、同五段目領域ＴＪＡ５の区画面積ＣＳを有効面積ＭＳと成した第５の規格瓦ＪＡ５を形成し、これら第１〜第５までの規格瓦ＪＡ１〜ＪＡ５を隅棟３または谷４の際に配置したので、隅棟３または谷４の際に配置する隅瓦または谷瓦が５種類で済む以外は、上記と同様な効果を奏するのである。
【００４６】
【００４７】
【図面の簡単な説明】
【図１】      本発明に係る隅棟または谷を有する屋根の平面図である。
【図２】      同上屋根における屋根面を示す図である。
【図３】      同上屋根面の三角領域の拡大図である。
【図４】      同上屋根面における隅棟の際に配置する第１〜第３の規格瓦の一例を示す図である。
【図５】      同上屋根面における谷の際に配置する第１〜第３の規格瓦の一例を示す図である。
【図６】      屋根における屋根面の他の実施の形態を示す図である。
【図７】      同上屋根面の三角領域の拡大図である。
【図８】      屋根における屋根面の他の実施の形態を示す図である。
【図９】      同上屋根面の三角領域の拡大図である。
【図１０】      和瓦と成す他の規格瓦の一例を示す図である。
【図１１】      同上他の規格瓦の一例を示す図である。
【符号の説明】
２、２ａ      屋根面
３            隅棟
４            谷
５、５ａ      瓦
７            斜辺部
８            水返し突条
１３          垂れ
【図１】
0003916099.tif 000002
【図２】
0003916099.tif 000003
【図３】
0003916099.tif 000004
【図４】
0003916099.tif 000005
【図５】
0003916099.tif 000006
【図６】
0003916099.tif 000007
【図７】
0003916099.tif 000008
【図８】
0003916099.tif 000009
【図９】
0003916099.tif 000010
【図１０】
0003916099.tif 000011
【図１１】
0003916099.tif 000012